(57)【要約】【課題】  防火水槽の取水口からバケツ等の汲取容器を用いて防火用水を汲み取る際の危険性や恐怖感を取り除き、以て汲み取り作業効率を上げることができる簡易水汲み上げ器を提供する。【解決手段】  防火水槽Ｔの取水口Ｔ３に設置される閉塞基板２と、この閉塞基板２上に設けられる上部に滑車４が具えられる滑車支持体３と、汲取容器５と、引き上げ索６とを具えて成り、前記閉塞基板２には前部から中央付近に渡って汲取容器通過口２ａが設けられるものであり、この汲取容器通過口２ａを除いて前記閉塞基板２は前記防火水槽Ｔの取水口Ｔ３を閉塞するものであることを特徴とする。【選択図】図１
2005348898.tif 000002
【特許請求の範囲】
【請求項１】
防火水槽の取水口に設置される閉塞基板と、この閉塞基板上に設けられる上部に滑車が具えられる滑車支持体と、水を汲み取るための汲取容器と、この汲取容器に結び付けられるとともに滑車に掛け回される引き上げ索とを具えて成り、前記閉塞基板には前部から中央付近に渡って汲取容器通過口が設けられるものであり、この汲取容器通過口を除いて前記閉塞基板は前記防火水槽の取水口を閉塞するものであることを特徴とする簡易水汲み上げ器。
【請求項２】
前記閉塞基板及び滑車支持体は、折り畳み自在であることを特徴とする請求項１記載の簡易水汲み上げ器。
【請求項３】
前記閉塞基板はほぼ中央付近において山折りに折れ曲がり自在であり、前記滑車支持体は、滑車取付ロッドと二本の補助ロッドから成る三脚型のものであり、二本の補助ロッドの上端は、滑車取付ロッドの上部付近において関節状に接続されるとともに、各補助ロッドの下端は、前記閉塞基板の前方の左右へそれぞれ閉塞基板の折れ曲がり動作を許容するように関節状に接続し、一方前記滑車取付ロッドは、前記閉塞基板の後部中央に対し遊びを持った状態で摺動自在に嵌挿されていることを特徴とする請求項２記載の簡易水汲み上げ器。
【請求項４】
前記汲取容器は、容器本体の上縁の対角線上に両端が回動自在に連結された円弧状の取手を有したバケツであり、この円弧状の取手の中央付近に対し、重りが設けられるとともに前記引き上げ索が結び付けられていることを特徴とする請求項１、２または３記載の簡易水汲み上げ器。
【請求項５】
前記汲取容器の側部には、前記引き上げ索を掛け止めるための掛け止めフックが設けられていることを特徴とする請求項１、２、３または４記載の簡易水汲み上げ器。
【発明の詳細な説明】
【技術分野】
【０００１】
本発明は震災時等の消火活動のために特に適合した消火器具に関するものであって、特に防火水槽の取水口から防火用水を汲み上げる簡易水汲み上げ器に係るものである。
【背景技術】
【０００２】
例えば大地震の際には、多数個所で火災が同時発生することと、道路上に建物が倒壊するなどして車両の通行ができなくなることから、消防車等による消火は期待できなくなる。従って平成７年に発生した阪神・淡路大震災の際もそうであったように、近辺に火災が発生した場合には、自主防災として道路等の防火水槽の取水口からバケツにロープ等の引き上げ索を縛りつけて取水して消火活動を行うこととなる。しかし防火水槽の取水口から水を汲み上げるにあたって、防災訓練の際に次のような問題点が発見された。すなわち消火訓練として防火水槽の取水口からバケツを用いた汲取容器に引き上げ索を付けて取水してバケツリレーにより消火する際に、防火用水の水面までは通常数メートルあるため、取水口の底の方が見え、汲み取り作業者に恐怖感を生じさせ取水作業を妨げているという問題点が発見され、また作業者が現実に取水口から落下する危険性も否定できない。なおこのような危険性や恐怖感から防火用水の汲み取り作業が過度に慎重となることは、消火作業を遅らせる要因となる。
【０００３】
また更に、バケツ等の汲取容器を用いた場合、汲取容器が防火用水に浮かぶ傾向があるため充分な量の防火用水の汲み取りが行いづらいという問題点があり、特に消火活動の際には、汲取容器が水面に到達した後、できるだけ即座に開口部が水中に潜り充分な量の防火用水が汲み取られることが要求される。
【０００４】
なお本発明のように防火水槽の取水口からバケツ等の汲取容器を用いて防火用水を汲み取る際の危険性や恐怖感を取り除く機器については、先行技術が見当たらなかったが、魚釣り用等で水をバケツで汲み上げる際に、バケツが容易に傾倒して水を汲むことができるようにした発明としては、例えば特許文献１や特許文献２に記載される発明のものが存在する。
【特許文献１】実開昭６３−１６９０５８号公報
【特許文献２】実開平６−３８５４７号公報
【発明の開示】
【発明が解決しようとする課題】
【０００５】
本発明はこのような背景からなされたものであって、防火水槽の取水口からバケツ等の汲取容器を用いて防火用水を汲み取る際の危険性や恐怖感を取り除き、以て汲み取り作業効率を上げることができ、更にまた汲取容器が防火用水に着水した際に即座に汲み取りが開始され、且つ充分な量の防火用水を取ることのできる簡易水汲み上げ器を実現しようとするものである。
【課題を解決するための手段】
【０００６】
すなわち請求項１記載の簡易水汲み上げ器は、防火水槽の取水口に設置される閉塞基板と、この閉塞基板上に設けられる上部に滑車が具えられる滑車支持体と、水を汲み取るための汲取容器と、この汲取容器に結び付けられるとともに滑車に掛け回される引き上げ索とを具えて成り、前記閉塞基板には前部から中央付近に渡って汲取容器通過口が設けられるものであり、この汲取容器通過口を除いて前記閉塞基板は前記防火水槽の取水口を閉塞するものであることを特徴として成るものである。
【０００７】
また請求項２記載の簡易水汲み上げ器は、前記請求項１記載の要件に加え、前記閉塞基板及び滑車支持体は、折り畳み自在であることを特徴として成るものである。
【０００８】
更に請求項３記載の簡易水汲み上げ器は、前記請求項２記載の要件に加え、前記閉塞基板はほぼ中央付近において山折りに折れ曲がり自在であり、前記滑車支持体は、滑車取付ロッドと二本の補助ロッドから成る三脚型のものであり、二本の補助ロッドの上端は、滑車取付ロッドの上部付近において関節状に接続されるとともに、各補助ロッドの下端は、前記閉塞基板の前方の左右へそれぞれ閉塞基板の折れ曲がり動作を許容するように関節状に接続し、一方前記滑車取付ロッドは、前記閉塞基板の後部中央に対し遊びを持った状態で摺動自在に嵌挿されていることを特徴として成るものである。
【０００９】
更にまた請求項４記載の簡易水汲み上げ器は、前記請求項１、２または３記載の要件に加え、前記汲取容器は、容器本体の上縁の対角線上に両端が回動自在に連結された円弧状の取手を有したバケツであり、この円弧状の取手の中央付近に対し、重りが設けられるとともに前記引き上げ索が結び付けられていることを特徴として成るものである。
【００１０】
更にまた請求項５記載の簡易水汲み上げ器は、前記１、２、３または４記載の要件に加え、前記汲取容器の側部には、前記引き上げ索を掛け止めるための掛け止めフックが設けられていることを特徴として成るものである。
【発明の効果】
【００１１】
本発明の簡易水汲み上げ器は、上述した手段により以下のような効果を奏するものである。
すなわち請求項１記載の簡易水汲み上げ器によれば、防火水槽の取水口から水をくみ取る際に汲取容器通過口を除いて防火水槽の取水口が閉塞されるため、取水者に取水時における恐怖感を感じさせず、また現実の安全性も向上する。またこのことから取水作業の作業速度も上がり、効率的な消火活動が行うことできるようになり、震災時においては火災による二次的災害を抑制することに寄与できる。
【００１２】
また請求項２記載の簡易水汲み上げ器によれば、閉塞基板及び滑車支持体が折り畳み自在であるため、収納時に場所を取らない。
【００１３】
更に請求項３記載の簡易水汲み上げ器によれば、閉塞基板と滑車支持体とが一体に組み付けられたものであるため、簡易水汲み上げ器の組み立ての手間が少なく組み立て間違いが生じにくく、このことは、使用時における安全性も担保するものである。
【００１４】
更にまた請求項４記載の簡易水汲み上げ器によれば、容器本体の上縁の対角線上に両端が回動自在に連結された円弧状の取手を有し、この取手の中央付近に対し、重りが設けられるとともに前記引き上げ索が結び付けられているため、防火用水の水面まで汲取容器が着水した際に、重り付きの取手が倒れるときの衝撃と重りが口部に位置することにより汲取容器が勢いよく傾き、上部開口部が水面下まで沈み込んで、防火用水の汲み取りが充分な量を即座に汲み取ることが可能となる。また取手に引き上げ索を結び付けているため、汲取容器が昇降される際に、重りは平面視で汲取容器のほぼ中心位置に位置するため、汲取容器の姿勢が傾かず良好な姿勢を保ち、汲み取った防火用水を無駄にこぼすようなことがない。
【００１５】
更にまた請求項５記載の簡易水汲み上げ器によれば、汲取容器の側部には、引き上げ索を掛け止めるための掛け止めフックが設けられているため、この汲取容器内に閉塞基板及び滑車支持体を折り畳んで収納し、引き上げ索を用いて汲取容器内と、閉塞基板及び滑車支持体とを一体的に結束することが可能である。
【発明を実施するための最良の形態】
【００１６】
本発明の最良の形態は、具体的には以下の実施例に述べるとおりである。
【実施例１】
【００１７】
以下本発明を図示の実施の形態に基づき説明する。図中符号１で示すものが、本発明の簡易水汲み上げ器であり、防火水槽Ｔの取水口Ｔ３に設置される閉塞基板２と、この閉塞基板２上に設けられる上部に滑車４が具えられる滑車支持体３と、水を汲み取るための汲取容器５と、この汲取容器５に結び付けられるとともに前記滑車４に掛け回される引き上げ索６とを具えて成る。
【００１８】
前記閉塞基板２について説明する。前記閉塞基板２は、開口した取水口Ｔ３の周縁の受枠Ｔ４に載置される大きさに形成されたもので、全体として略Ｕ字形状をしており、閉塞基板２の前部から中央付近に渡って汲取容器通過口２ａが設けられている。また閉塞基板２は、二枚の対称形状をした分割基板２０が中央連結体２１に対しヒンジ２１ａを用いて連結されて成り、中央において山折りに折れ曲がり自在に構成されている。なおこのヒンジ２１ａにより閉塞基板２は谷折りには通常では折れ曲がらないが、更に安全を期すため一方の分割基板２０には、上方から強い圧力がかかっても、閉塞基板２が谷折りに折れ曲がらないようにするための回動ストッパ２２が設けられている。また各分割基板２０の前部には、滑車支持体３を連結するための支持リング２６がそれぞれ設けられている。また前記中央連結体２１の後方には、後述する滑車支持体３の滑車取付ロッド３０を摺動自在に保持するためのガイド板２３と、その先端に設けられるＵ字状の摺動ガイド２４が設けられており、これらガイド板２３と摺動ガイド２４の間に後述する滑車取付ロッド３０を摺動自在に支持している。また符号２５で示す部材はスペーサであり、閉塞基板２の上面に記載された載置マーク２７上に防火水槽Ｔの閉塞蓋Ｔ１を載置した際に、閉塞蓋Ｔ１と閉塞基板２との間の隙間を埋めるためのものである。すなわち通常防火水槽Ｔの閉塞蓋Ｔ１は、例えば３０ｍｍ程度の厚さを有しており、一方本発明の分割基板２０は、軽量化を考慮して一例として十数ミリで構成するため、図１、２、６（ｃ）に示すように分割基板２０を閉塞蓋Ｔ１を載置しておいた受枠Ｔ４の蓋収め用段差部に載置した際に、上方にオーバラップして載置した閉塞蓋Ｔ１との間に隙間が生じるものであり、このスペーサ２５によってその隙間を埋めるものである。なお前記載置マーク２７カ所には、「ここに取水口の蓋を置く」などと記載しておくことも好ましい。
【００１９】
なお前記閉塞基板２は、本実施例では設置位置のズレを防止するため、取水口Ｔ３の周縁の受枠Ｔ４に設置するものであるが、閉塞基板２の直径を取水口Ｔ３の直径よりも充分に大きく形成して受枠Ｔ４ではなく、その更に外周縁となる路面上等に載置するような構成で実施することも可能である。この場合、適宜、閉塞基板２の底面に設置面に滑り止めのための凹凸を有した合成ゴム等を貼設したり、あるいは閉塞基板２等に重りを設置したり、また更に作業者が簡易水汲み上げ器１を支持したりする。また閉塞基板２は、要は汲取容器通過口２ａの部位を除いて取水口Ｔ３を閉塞するための部材であるため、全体形状は円形状、矩形状または六角形等の多角形状等の種々の形状で実施することが可能である。
【００２０】
次に滑車支持体３について説明する。滑車支持体３は、滑車取付ロッド３０と、これを支持する二本の補助ロッド３１から成る三脚型のものであり、折り畳み自在に構成されている。具体的に二本の補助ロッド３１の上端が、滑車取付ロッド３０の上部付近において関節状に自由回動自在に接続されるとともに、各補助ロッド３１の下端は、前記閉塞基板２の前方の左右へそれぞれ閉塞基板２の折れ曲がり動作を許容するように関節状に自由回動自在に接続される。一方、前記滑車取付ロッド３０は、前述したように、前記閉塞基板２の後部中央に対し遊びを持った状態で摺動自在に嵌挿されている。
【００２１】
更に滑車支持体３について詳細に説明すると、前記補助ロッド３１の下端には、閉塞基板２と関節状に自由回動自在に接続するために、連結リング３５が設けられ、これを前記分割基板２０に設けた支持リング２６に連結している。また滑車取付ロッド３０は、前記閉塞基板２の中央連結体２１後部のガイド板２３と摺動ガイド２４との間に遊びを持った状態で摺動自在に嵌挿されるものである。なお滑車取付ロッド３０の下端には、摺動ガイド２４からの抜け止めのための抜け止めストッパ３４が設けられている。前記滑車４は、前記滑車取付ロッド３０の上部に対し、取付アーム３２を介して取り付けられるものであり、滑車４の近接個所の取付アーム３２には、図１に示すように引き上げ索６が滑車４から外れないように、引き上げ索外れ止め３３が設けられている。
【００２２】
次に汲取容器５について説明する。容器本体５０の上縁の対角線上に両端が回動自在に連結された円弧状の取手５１を有した一般的なバケツを適用するものであり、取手５１の中央付近には重り５２が設けられている。また容器本体５０の側部には、図４に示すようにこの汲取容器５と前記閉塞基板２及び滑車支持体３を引き上げ索６を利用して一体的に収納するための引き上げ索６の掛け止め用の掛け止めフック５３が設けられている。
【００２３】
そしてこの汲取容器５の取手５１の中央に引き上げ索６の一端が結び付けられるものであり、引き上げ索６の他端には、引き上げ索６の全てが出て防火水槽Ｔ内へ落下してしまわないようにするための丸棒状のストッパ６ａが設けられている。なおこのストッパ６ａは、特に防火用水Ｗを汲み上げる際に取手としても使用できる。
【００２４】
なお符号７で示す部材は蓋保持具であり、防火水槽Ｔの取水口Ｔ３の閉塞蓋Ｔ１を取り外しまたは設置する際の付属具である。この蓋保持具７は、取手７１と、ロッド７２と、ロッド先端に取り付けられた掛止片７３とを具えて成る。
【００２５】
本発明の簡易水汲み上げ器は、一例として以上のようにして成り、以下この使用態様について説明する。
（ｉ）組み立て設置
まず簡易水汲み上げ器１の組み立て及び設置について説明するもので、図５（ａ）に示すような滑車支持体３及び閉塞基板２を汲取容器５内に入れ、これらを引き上げ索６により一体的に結束した折り畳み収納時から、展開して組み立て設置する作業について説明する。
【００２６】
まず図５（ａ）に示される折り畳み収納状態から、縛ってある引き上げ索６をほどき、汲取容器５の側部の掛け止めフック５３と滑車取付ロッド３０の間に掛け回してある引き上げ索６を取り外す（図５（ｂ）参照）。次に滑車支持体３及び閉塞基板２を、汲取容器５内から取り出し、二つ折りにされている閉塞基板２を拡開させながら、摺動ガイド２４を滑車取付ロッド３０の下端側へ摺動させていく（図５（ｃ）（ｄ）参照）。摺動ガイド２４が滑車取付ロッド３０の抜け止めストッパ３４に当接したところで閉塞基板２の下方への摺動は停止され、この時点では閉塞基板２は、平板状に拡開した状態である（図５（ｅ）参照）。なお閉塞基板２は、ヒンジ２１ａの構造と、回動ストッパ２２とにより谷折れ状に折れ曲がることはない。以上のように簡易水汲み上げ器１は簡単に組み立てが完了する。
【００２７】
一方防火水槽Ｔの取水口Ｔ３の閉塞蓋Ｔ１を、付属具の蓋保持具７により取り外す。具体的には、蓋保持具７の掛止片７３を取水口Ｔ３の閉塞蓋Ｔ１の掛止孔Ｔ２から挿し入れ、蓋保持具７を約９０°回転させて掛止片７３を閉塞蓋Ｔ１の裏面に掛け止め、その状態で持ち上げる（図６（ａ）（ｂ）参照）。閉塞蓋Ｔ１が持ち上がったところでこの閉塞蓋Ｔ１を適宜数人で持って移動させ、次いで図６（ｃ）に示すように、前記組み立てられた簡易水汲み上げ器１を取水口Ｔ３の周縁の受枠Ｔ４に設置する。なおこの時の簡易水汲み上げ器１の設置は、滑車４の取り付けられた前面を前方に障害物が無い方向に向けて設置することが好ましく、例えば道路に設置されている取水口Ｔ３であれば、道路幅方向ではなく、道路の進行若しくは後退方向に向けて設置する。そして前記取り外した閉塞蓋Ｔ１を閉塞基板２の載置マーク２７の個所に載置する。これにより閉塞基板２のスペーサ２５が閉塞蓋Ｔ１の裏面に当接して閉塞基板２の汲み取り作業時の浮き上がりを防止する。
【００２８】
（ii）汲み取り使用時
次に以上のように組み立てがなされ取水口Ｔ３に設置がなされた簡易水汲み上げ器１による防火用水Ｗの汲取作業について説明する。汲取容器５を閉塞基板２の汲取容器通過口２ａから落下させ、水面に到達させる（図７（ａ）参照）。水面に到達した汲取容器５は、水面に到達した際に取手５１が倒れる（図７（ｂ）参照）。このとき取手５１には重り５２が取り付けられているため、勢いよく重り５２が図７（ｃ）（ｄ）に示されるように汲取容器５の開口周縁に当接するとともに強い力で汲取容器５の上部開口部が水中に向けられ、汲取容器５は重り５２により引っ張られるように少し沈む。次に図８（ａ）（ｂ）に示すように引き上げ索６の端のストッパ６ａを持って簡易水汲み上げ器１の前方向に走っていき、汲取容器５を上昇させる。汲取容器５が取水口Ｔ３より上方に上がってきたら汲取容器５の上昇を止め、搬送バケツＢに汲み取られた防火用水Ｗを移し替える（図９（ａ）（ｂ）参照）。防火用水Ｗが移し入れられた搬送バケツＢは、複数人の消火活動者のバケツリレーによって火災個所まで運ばれ、中の防火用水Ｗを火災個所に向かって掛けて消火が行われる。一方、防火用水Ｗを搬送バケツＢに移し替えた汲取容器５は、引き上げ索６を持った状態で簡易水汲み上げ器１に走り寄ることなどにより再度防火水槽Ｔ内へ落下させる（図１０（ｃ）参照）。そして汲み取られた防火用水Ｗを複数用意した搬送バケツＢに次々と移し替え、バケツリレーによる消火活動が行われる。
【００２９】
（iii)収納時
消火活動を終了して簡易水汲み上げ器１を収容するには、前記（ｉ）の組み立て設置の逆手順を踏むもので（図５、６参照）、まず閉塞基板２の載置マーク２７の個所に載置している取水口Ｔ３の閉塞蓋Ｔ１を移動して取水口Ｔ３から簡易水汲み上げ器１を取り外し、閉塞蓋Ｔ１を取水口Ｔ３へ設置して取水口Ｔ３を閉塞する。
【００３０】
次に簡易水汲み上げ器１を折り畳み収納するものであり、閉塞基板２を中央連結体２１の個所で山折りに折り曲げながら閉塞基板２の摺動ガイド２４を滑車取付ロッド３０の上方へスライドさせていく。閉塞基板２が完全に折り畳まれた状態で、閉塞基板２と滑車支持体３の双方が折り畳まれコンパクトな状態となるものであり、この折り畳まれた閉塞基板２及び滑車支持体３を図４、５（ａ）に示すように汲取容器５内に入れ、引き上げ索６を汲取容器５の側部の掛け止めフック５３と滑車取付ロッド３０の間に数回掛け回して、端部を掛け回した引き上げ索６に縛り付けて結束する。また補助具の蓋保持具７を汲取容器５内に収納するとともに、搬送バケツＢを滑車取付ロッド３０の上部に被せたり、汲取容器５の下方へ重ねたりして収納する。
以上のように簡易水汲み上げ器１を折り畳み収納した状態では、非常にコンパクトであり、収納に場所を取らない。
【実施例２】
【００３１】
また図１１（ａ）（ｂ）に示すものは、本発明の水汲み上げ器に滑車取付位置調節機構を設けたものである。具体的な滑車取付位置調節機構としては、種々の構成のものを適用することができるが、図１１（ａ）に示すものは、取付アーム３２の基端部に固定ノブ３６ａ付きのスリーブ３６を設けて円筒パイプの滑車取付ロッド３０に対し、上下に摺動自在及び首降り自在に係止させている。更に取付アーム３２は、角パイプ３７に金属板３８を嵌挿して伸縮自在とし、適宜の長さで固定ノブ３７ａにより固定できるようにしている。なお図示は省略するが、滑車取付ロッド３０を貫通する保持口を設け、ここに丸パイプ等の取付アームを摺動自在に嵌挿して、この取付アームを摺動自在に支持させるとともに適宜位置により固定ノブで位置固定できるようにすることにより滑車の位置を変更するようにしてもよい。
【００３２】
また図１１（ｂ）に示すものは、取付アーム３２をボルト３９Ａにより回動自在に連結される二つの金属板３８で構成し、上下方向に首降り自在に構成するとともに、前記ボルト３９Ａに対しネジ止めされる蝶ナット３９Ｂにより所望角度で固定できるようにしたものである。
以上のように水汲み上げ器に滑車取付位置調節機構を設けた場合には、例えば傾斜地等の使用の場合に、汲取容器５を所望位置に微調整することが可能となる。
【実施例３】
【００３３】
また図１２（ａ）〜（ｄ）に示すものは、汲取容器５による防火用水Ｗの汲取容量を、汲取作業者の体力等に応じて増減できるようにしたものである。
具体的には図１２（ａ）に示すものは、容器本体５０の側部上方に排水口５４を設けるとともに、ここに上下方向に摺動自在な開閉板５５を設けたものである。なお符号５６で示す部材は開閉板５５を適宜の開放位置で固定するための固定ネジである。このように汲取容器５を構成した場合には、開閉板５５の開放状態によって容器本体５０の取水量の調節ができ、例えば女性や高齢者等が汲み上げ作業を行う場合には、開閉板５５を所望量下方へスライドさせて取水量を減少させて、重量を軽くすることが可能である。なおこのような取水量の増減構造を採る場合には、比較的容量の大きい深底等の汲取容器５を適用し、数人や体力のある者が汲み取りを行う場合には、排水口５４を開口せずにそのままの状態で使用し、そうでない者が行う場合には、排水口５４を開口することにより減容して汲み取りを行うようにすることが可能である。
【００３４】
また図１２（ｂ）（ｃ）に示すものも汲取容量の増減構造を設けたものであり、このものは、汲取容器５を引き上げ索６で吊るした状態における容器本体５０の傾き姿勢を調節できる構成を採り、これを以て汲取容器５の防火用水Ｗの汲取量を調節するものである。具体的には、傾き調節紐５７の一端を取手５１に縛り付け、他端を二つの孔５８ａ、５８ｂを有した長さ調節具５８の一方の孔５８ａに通した上で容器本体５０の上縁に穿孔した貫通孔５０ａに挿し通す。そして更にその挿し通した端部を折り返して前記長さ調節具５８の他方の孔５８ｂに挿し通した上で、結び目を作って係止している。
取水容量の増減構造は以上のようにして成り、これを使用するにあたっては、長さ調節具５８の位置を移動することにより取手５１と容器本体５０の貫通孔５０ａまでの紐の長さを調節し、これにより容器本体５０の傾き姿勢を調節できる（図１２（ｃ）参照）。因みに取手５１と貫通孔５０ａとの間の紐の長さが短いほど傾きが大きくなり、取水量は減少する。
【００３５】
また汲取容量の増減構造は簡単な構造では例えば図１２（ｄ）に示すように容器本体５０の上部開口縁の一部を切り欠くように低く形成しておき、例えば吊るし上げ時に引き上げ索６を積極的に早い動作で引いたり戻したりすることにより容器本体５０を揺らして、防火用水Ｗを多量にこぼして汲取容量を減少させ、汲取容器５の汲み上げ時の重量を軽くすることが可能である。
【図面の簡単な説明】
【００３６】
【図１】本発明の実施例１の簡易水汲み上げ器の使用状態を示す斜視図である。
【図２】同上正面図である。
【図３】同上滑車支持体及び滑車を省略して示す平面図である。
【図４】同上収納状態を示す側面図である。
【図５】本発明の実施例１の簡易水汲み上げ器の組み立て時における使用態様を段階的に示す説明図である。
【図６】同上、閉塞蓋を取り外し、簡易水汲み上げ器を設置するまでの使用態様を段階的に示す説明図である。
【図７】同上、汲取容器が防火水槽内の防火用水内に到達し、汲み取りが行われるまでの使用態様を段階的に示す説明図である。
【図８】同上、汲み取った防火用水を上方に引き上げる場合の使用態様を二段階に分けて示す説明図である。
【図９】同上、汲み上げた防火用水を搬送バケツに移し替える場合の使用態様を二段階に分けて示す説明図である。
【図１０】同上、汲み上げた防火用水を搬送する場合と、次の汲み上げに備えて、汲取容器を防火水槽内に降下させる場合の使用態様を併せ示す説明図である。
【図１１】実施例２の滑車取付位置調節機構を具えた他の二種類の簡易水汲み上げ器の要部を示す斜視図である。
【図１２】実施例３の防火用水の汲取容量を調節できるようにした汲取容器の種々の態様を示す説明図である。
【符号の説明】
【００３７】
１        簡易水汲み上げ器
２        閉塞基板
２ａ      汲取容器通過口
３        滑車支持体
４        滑車
５        汲取容器
６        引き上げ索
６ａ      ストッパ
７        蓋保持具
２０      分割基板
２１      中央連結体
２１ａ    ヒンジ
２２      回動ストッパ
２３      ガイド板
２４      摺動ガイド
２５      スペーサ
２６      支持リング
２７      載置マーク
３０      滑車取付ロッド
３１      補助ロッド
３２      取付アーム
３３      引き上げ索外れ止め
３４      抜け止めストッパ
３５      連結リング
３６      スリーブ
３６ａ    固定ノブ
３７      角パイプ
３７ａ    固定ノブ
３８      金属板
３９Ａ    ボルト
３９Ｂ    蝶ナット
５０      容器本体
５０ａ    貫通孔
５１      取手
５２      重り
５３      掛け止めフック
５４      排水口
５５      開閉板
５６      固定ネジ
５７      傾き調節紐
５８      長さ調節具
５８ａ    孔
５８ｂ    孔
７１      取手
７２      ロッド
７３      掛止片
Ｂ        搬送バケツ
Ｔ        防火水槽
Ｔ１      閉塞蓋
Ｔ２      掛止孔
Ｔ３      取水口
Ｔ４      受枠
Ｗ        防火用水
【図１】
2005348898.tif 000003
【図２】
2005348898.tif 000004
【図３】
2005348898.tif 000005
【図４】
2005348898.tif 000006
【図５】
2005348898.tif 000007
【図６】
2005348898.tif 000008
【図７】
2005348898.tif 000009
【図８】
2005348898.tif 000010
【図９】
2005348898.tif 000011
【図１０】
2005348898.tif 000012
【図１１】
2005348898.tif 000013
【図１２】
2005348898.tif 000014